(57)【要約】【課題】日常生活において日々移り変わる対象者の体調や気分の変化を把握する。【解決手段】入力端末１と状態管理サーバ２とを有する状態管理システムであって、入力端末１は、該入力端末１を使用する入力者が入力した手書きの入力画像の入力を受け付ける入力受付手段１２と、入力受付手段１２が受け付けた入力画像と、入力日時情報とを状態管理サーバ２に送信する送信手段１１とを備え、状態管理サーバ２は、入力端末１から送信された入力画像と入力日時情報とを記憶する記憶手段２４と、記憶手段２４に記憶された入力画像を時系列に表示した表示画像を生成し、入力者を見守る確認者の確認端末３に提示する画像生成手段２３とを備える。【選択図】図１
2013168137.tif 000002
【特許請求の範囲】
【請求項１】
入力端末と、状態管理サーバとを有する状態管理システムであって、
前記入力端末は、
当該入力端末を使用する入力者が入力した手書きの入力画像の入力を受け付ける入力受付手段と、
前記入力受付手段が受け付けた入力画像と、入力日時情報とを前記状態管理サーバに送信する送信手段と、を備え、
前記状態管理サーバは、
前記入力端末から送信された入力画像と入力日時情報とを記憶する記憶手段と、
前記記憶手段に記憶された入力画像を時系列に表示した表示画像を生成し、前記入力者を見守る確認者の確認端末に提示する画像生成手段と、を備えること
を特徴とする状態管理システム。
【請求項２】
請求項１記載の状態管理システムであって、
前記手書きの入力画像は、所定の記号または文字であること
を特徴とする状態管理システム。
【請求項３】
請求項１または２に記載の状態管理システムであって、
前記画像生成手段は、前記記憶手段に記憶された入力画像を時系列に連続して連続表示する、または、前記記憶手段に記憶された入力画像を重ねてオーバーレイ表示すること
を特徴とする状態管理システム。
【請求項４】
請求項３記載の状態管理システムであって、
前記画像生成手段は、前記連続表示またはオーバーレイ表示する際に、座標軸を設定すること
を特徴とする状態管理システム。
【請求項５】
請求項１から４のいずれか一項に記載の状態管理システムであって、
前記記憶手段に記憶された入力画像を解析し、解析結果と前記入力者の標準値との比較結果を前記記憶手段に記憶する画像解析手段を、さらに備えること
を特徴とする状態管理システム。
【請求項６】
請求項５に記載の状態管理システムであって、
前記画像解析手段は、解析結果または比較結果が所定の条件を満たす場合、前記確認端末にアラートを通知すること
を特徴とする状態管理システム。
【請求項７】
請求項５または６に記載の状態管理システムであって、
前記画像解析手段は、前記解析結果に基づいて入力者の変化の時期を検出すること
を特徴とする状態管理システム。
【請求項８】
請求項１から７のいずれか一項に記載の状態管理システムであって、
前記入力端末は、前記入力者が入力画像を入力すると、当該入力端末に表示されるカレンダーに実施済みの記号を設定すること
を特徴とする状態管理システム。
【請求項９】
請求項１から８のいずれか一項に記載の状態管理システムであって、
前記手書きの入力画像は、アナログ時計であること
を特徴とする状態管理システム。
【請求項１０】
請求項９記載の状態管理システムであって、
前記アナログ時計の円形形状の面積を、当該円形形状の円周とY軸に並行する直線との２点の交点の距離を用いて解析する時計画像解析手段を、さらに備えること
を特徴とする状態管理システム。
【請求項１１】
請求項１０記載の状態管理システムであって、
前記時計画像解析手段は、前記アナログ時計の円形形状の真円度を、円周上の所定の１点から、円周上の各点への距離を用いて解析すること
を特徴とする状態管理システム。
【請求項１２】
請求項１０または請求項１１記載の状態管理システムであって、
前記時計画像解析手段は、前記アナログ時計の数字の配置を、Y軸に並行する直線との交点の数を用いて解析すること
を特徴とする状態管理システム。
【請求項１３】
請求項１０または請求項１１記載の状態管理システムであって、
前記時計画像解析手段は、前記アナログ時計の針を、針の起点から放射状に設定された直線との交点の長さまたは数を用いて解析すること
を特徴とする状態管理システム。
【請求項１４】
入力端末と、状態管理サーバとを有する状態管理システムにおける状態管理サーバであって、
前記入力端末から送信された、前記入力端末を使用する入力者が入力した手書きの入力画像と、入力日時情報とを記憶する記憶手段と、
前記記憶手段に記憶された入力画像を時系列に表示した表示画像を生成し、前記入力者を見守る確認者の確認端末に提示する画像生成手段と、を備えること
を特徴とする状態管理サーバ。
【請求項１５】
状態管理サーバが行う状態管理方法であって、
前記状態管理サーバは、
入力端末から送信された、前記入力端末を使用する入力者が入力した手書きの入力画像と、入力日時情報とを記憶部に記憶する記憶ステップと、
前記記憶部に記憶された入力画像を時系列に表示した表示画像を生成し、前記入力者を見守る確認者の確認端末に提示する画像生成ステップと、を行うこと
を特徴とする状態管理方法。
【請求項１６】
コンピュータに、
入力端末から送信された、前記入力端末を使用する入力者が入力した手書きの入力画像と、入力日時情報とを記憶部に記憶する記憶ステップ、
前記記憶部に記憶された入力画像を時系列に表示した表示画像を生成し、前記入力者を見守る確認者の確認端末に提示する画像生成ステップを実行させるための
状態管理プログラム。
【発明の詳細な説明】
【技術分野】
【０００１】
本発明は、高齢者などを遠隔地から見守るための状態管理システム、状態管理サーバ、状態管理方法および状態管理プログラムに関する。
【背景技術】
【０００２】
少子高齢化、核家族化などにより、高齢者の１人暮らしや高齢者夫婦の高齢者世帯が増えてきている。このような高齢者世帯を、物理的に離れた場所で暮らす家族や親族が見守るために、様々な見守りサービスが提案されている。例えば、特許文献１では、独居老人宅に活動情報通信端末を設置し、独居老人が活動情報通信端末の簡易通信ボタンを押すと、端末操作情報が子供宅の活動情報通信端末に送信される遠隔見守りシステムが記載されている。
【先行技術文献】
【特許文献】
【０００３】
【特許文献１】特開２００３−１５２９０２号公報
【発明の概要】
【発明が解決しようとする課題】
【０００４】
特許文献１では、簡易通信ボタンを押したことはわかるが、送信される端末操作情報は同じ内容であるため、日常生活において日々移り変わる見守り対象者（独居老人など）の体調や気分の変化を知ることはできない。
【０００５】
本発明は上記事情に鑑みてなされたものであり、本発明の目的は、日常生活において日々移り変わる対象者の体調や気分の変化を把握することが可能な状態管理システム、状態管理サーバ、状態管理方法および状態管理プログラムを提供することにある。
【課題を解決するための手段】
【０００６】
上記目的を達成するため、本発明は、入力端末と、状態管理サーバとを有する状態管理システムであって、前記入力端末は、当該入力端末を使用する入力者が入力した手書きの入力画像の入力を受け付ける入力受付手段と、前記入力受付手段が受け付けた入力画像と、入力日時情報とを前記状態管理サーバに送信する送信手段と、を備え、前記状態管理サーバは、前記入力端末から送信された入力画像と入力日時情報とを記憶する記憶手段と、前記記憶手段に記憶された入力画像を時系列に表示した表示画像を生成し、前記入力者を見守る確認者の確認端末に提示する画像生成手段と、を備える。
【０００７】
本発明は、入力端末と、状態管理サーバとを有する状態管理システムにおける状態管理サーバであって、前記入力端末から送信された、前記入力端末を使用する入力者が入力した手書きの入力画像と、入力日時情報とを記憶する記憶手段と、前記記憶手段に記憶された入力画像を時系列に表示した表示画像を生成し、前記入力者を見守る確認者の確認端末に提示する画像生成手段と、を備える。
【０００８】
本発明は、状態管理サーバが行う状態管理方法であって、前記状態管理サーバは、前記入力端末から送信された、前記入力端末を使用する入力者が入力した手書きの入力画像と、入力日時情報とを記憶部に記憶する記憶ステップと、前記記憶部に記憶された入力画像を時系列に表示した表示画像を生成し、前記入力者を見守る確認者の確認端末に提示する画像生成ステップと、を行う。
【０００９】
本発明は、コンピュータに、入力端末から送信された、前記入力端末を使用する入力者が入力した手書きの入力画像と、入力日時情報とを記憶部に記憶する記憶ステップ、前記記憶部に記憶された入力画像を時系列に表示した表示画像を生成し、前記入力者を見守る確認者の確認端末に提示する画像生成ステップを実行させるための状態管理プログラムである。
【発明の効果】
【００１０】
本発明によれば、日常生活において日々移り変わる対象者の体調や気分の変化を把握することが可能な状態管理システム、状態管理サーバ、状態管理方法および状態管理プログラムを提供することができる。
【図面の簡単な説明】
【００１１】
【図１】本発明の実施形態に係る状態管理システムの全体構成図である。
【図２】入力画像をサーバに蓄積し、確認端末に送信するシーケンス図である。
【図３】入力画像情報テーブルの一例を示す図である。
【図４】標準値テーブルの一例を示す図である。
【図５】カレンダーの一例を示す図である。
【図６】サーバに蓄積された入力画像を確認するシーケンス図である。
【図７】一覧表示の一例を示す図である。
【図８】連続表示を模式的に示す図である。
【図９】オーバーレイ表示の一例を示す図である。
【図１０】変化グラフの一例を示す図である。
【図１１】アラートを送信するシーケンス図である。
【図１２】閾値テーブルの一例を示す図である。
【図１３】アナログ時計の一例を示す図である。
【図１４】アナログ時計の円が小さくなっていく傾向を示す図である。
【図１５】円の面積を算出する方法を説明する説明図である。
【図１６】円の面積を時系列に示した変化グラフの一例である。
【図１７】真円度を算出する方法を説明する説明図である。
【図１８】２つの曲線で形成される図形の円の面積を算出する方法を説明する説明図である。
【図１９】真円度を時系列に示した変化グラフの一例である。
【図２０】文字盤の数字を解析する方法を説明するための説明図である。
【図２１】針を解析する方法を説明するための説明図である。
【図２２】棒グラフの長さの差分および棒グラフ間の距離を時系列に示した変化グラフの一例である。
【発明を実施するための形態】
【００１２】
以下、本発明の実施形態について説明する。
【００１３】
図１は、本発明の実施形態に係る、対象者の状態を管理する状態管理システムの全体構成図である。
【００１４】
本実施形態では、入力端末１と、サーバ２（状態管理サーバ）と、確認端末３とを備える。サーバ２と、入力端末１および確認端末３とは、インターネットなどのネットワーク（不図示）を介して接続されている。
【００１５】
入力端末１は、確認端末３を使用する確認者によって見守られる対象者（例えば、高齢者、メンタルヘルスケアが必要な人）が使用する端末である。入力端末１は、見守られる対象者（以下、「入力者」）が、日々入力する所定の手書きの入力画像を受け付け、サーバ２に送信する。
【００１６】
図示する入力端末１は、送受信部１１と、タッチパネル１２（入力受付手段）と、制御部１３とを有する。制御部１３、定期的（一日に一回等）、入力者に対し「今日の気分はどうですか？」等の問い合わせを行い、入力者に対してタッチパネル１２への入力を促す。また、制御部１３は、タッチパネル１２が検知した情報に基づいて、入力画像および入力画像に関する各種情報を取得する。また、制御部１３は、カレンダー表示機能を有し、サーバ２から登録完了通知を受けた日付に、登録が完了したことがわかる表示を行う。
【００１７】
タッチパネル１２は、タッチパネル上の入力者の指等の動きを検知し、検知信号を制御部１３に送出するとともに、検知信号に基づいて入力者が入力した入力画像を表示する。送受信部１１は、制御部１３の制御に従って、タッチパネル１２に入力された入力画像および入力画像に関する各種情報をサーバ１に送信する。
【００１８】
なお、入力端末１は確認端末３としても利用することができる。例えば、制御部１３は、当該入力端末１の使用者の要求を受け付けて、過去の入力画像をサーバ２に要求し、サーバ２から受信した入力画像をタッチパネル１２に表示する。
【００１９】
サーバ２は、入力端末１において日々入力される入力画像および入力画像に関する各種情報を蓄積するとともに、確認端末３に入力画像を送信する。図示するサーバ２は、送受信部２１と、画像解析部２２と、画像生成部２３と、記憶部２４とを有する。送受信部２１は、入力端末１から送信された入力画像および各種情報を受信するとともに、画像解析部２２または画像生成部２３の制御に従って画像および情報を、確認端末３または入力端末１に送信する。
【００２０】
画像解析部２２は、送受信部２１が受信した入力画像および各種情報を入力者毎に時系列に記憶部２４に記憶するとともに、送受信部２１を用いて入力画像を確認端末３に送信する。また、画像解析部２２は、入力画像を画像解析し、解析結果を記憶部２４に記憶する。また、画像解析部２２は、記憶部２４に格納された入力画像および各種情報をもとに、入力者毎の入力画像に関する標準値を算出して記憶部２４に記憶し、日々入力される入力画像および各種情報と標準値とを比較し、比較結果を記憶部２４に記憶する。また、画像解析部２２は、記憶部２４に記憶された入力画像に関する各種の情報と閾値とを比較し、所定の条件に合致した場合には、送受信部２１を用いて確認端末３にアラートを通知する。
【００２１】
画像生成部２３は、記憶部２４に記憶された入力画像を所定の期間分読み取り、読み取った入力画像を連続表示（パラパラ表示）または重ね合わせたオーバーレイ表示するための画像を生成する。また、画像生成部２３は、記憶部２４に記憶された標準値との比較結果を、所定期間分読み取り、変化の傾向を示す変化グラフ等を生成する。
【００２２】
記憶部２４には、入力画像および各種情報が時系列に記憶される入力画像情報テーブルと、入力画像に関する各標準値が記憶される標準値テーブルと、入力画像に関する各閾値が記憶される閾値テーブルとが格納されている。
【００２３】
確認端末３は、入力端末１を使用する入力者を見守る確認者（例えば、高齢者である入力者の子供や親族、メンタルヘルスケアが必要な人の両親など）が使用する端末である。確認端末３は、入力者が日々入力する所定の手書きの入力画像をサーバ２を介して受信し、表示する。図示する確認端末３は、送受信部３１と、タッチパネル３２と、制御部３３とを有する。制御部３３は、タッチパネル３２が検知した情報に基づいて、確認者が入力した操作指示を受け付ける。タッチパネル３２は、確認者がタッチしたことを検知し、検知信号を制御部３３に送出するとともに、サーバ２から送信された画像および各種情報を表示する。送受信部３１は、サーバ２から送信される入力画像およびアラートを受信するとともに、制御部３３の制御に従ってタッチパネル３２に入力された確認者の要求をサーバ２に送信する。
【００２４】
上記説明した入力端末１、サーバ２および確認端末３は、例えば、少なくともＣＰＵと、メモリと、ＨＤＤなどの記憶装置とを備えたコンピュータシステムを用いることができる。このコンピュータシステムにおいて、ＣＰＵがメモリ上にロードされた所定のプログラムを実行することにより、各システムの各機能が実現される。例えば、入力端末１用のプログラムの場合は入力端末１のＣＰＵが、サーバ２用のプログラムの場合はサーバ２のＣＰＵが、そして、確認端末３用のプログラムの場合は確認端末３のＣＰＵが実行することにより実現される。また、入力端末１用のプログラム、サーバ２用のプログラムおよび確認端末３用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワークを介して配信することもできる。
【００２５】
次に、本実施形態の処理について説明する。
【００２６】
図２は、入力端末１から入力される手書きの入力画像を、サーバ２に蓄積するとともに、確認端末３に送信する、日常生活において日々行われるシーケンス図である。
【００２７】
入力端末１の制御部１３は、所定のタイミングで定期的に（例えば、１回／１日）に、入力者に対して入力を促すための入力通知を行う（Ｓ１１）。入力通知は、例えば、「今日の気分はいかがですか？」などの所定のメッセージを、図示しないスピーカーから音声で出力し、ポップアップ画面をタッチパネル１２に表示する。また、アラーム音やランプを点滅させて、入力者に気づかせて入力を促すことも考えられる。
【００２８】
入力通知により入力者は、入力端末１のタッチパネル１２にタッチし（Ｓ１２）、これにより、入力端末１の制御部１３は入力画像を入力するための画面をタッチパネル１２に表示する（Ｓ１３）。入力者は、タッチパネル１２に表示された画面に所定の入力画像を、指またはペンなどを用いて手書きで入力する（Ｓ１４）。タッチパネル１２は、入力者がタッチした位置などを検出し、検知信号を制御部１３に出力する。制御部１３は、タッチパネル１２の検知信号に基づいて、タッチパネル１２が検出した位置などに応じてタッチパネル１２に入力者が入力した入力画像を表示する。また、制御部１３は、タッチパネル１２の検知信号に基づいて、Ｓ１１で入力通知を出力してから、入力画像の入力を開始するまでの時間、および入力開始から入力終了までの入力に要した時間を算出する。
【００２９】
なお、入力画像は、入力者が入力しやすく、かつ、過去の入力画像との比較が容易なものが望ましい。入力画像は、あらかじめ定められた固定の所定の画像（記号、文字など）であって、図２に示す例では「○」であって、入力しやすい画像とする。入力画像は、入力者や確認者が任意に設定することができるものとする。
【００３０】
手書きの入力画像（例えば○等）には、入力者が意識的に形や大きさを変えなかったとしても、無意識の気分や体調の変化が現れやすい。そのため、入力者に手書きの入力画像を入力させ、サーバ２で管理することで、入力者の状態の変化を把握することができる。
【００３１】
そして、制御部１３は、入力された入力画像をチェックし、あらかじめ定めた所定の入力画像以外の入力を制限する。具体的には、制御部１３は、画像認識処理を行うことにより、入力画像があらかじめ定めた所定の入力すべき画像と著しく異なる場合（例えば、入力画像が「○」であるのに、どうみても「×」にしか見えない場合）には、「○（入力画像）を記入しましたか？」等の確認メッセージをタッチパネル１２に表示し、再入力を促す（Ｓ１６）。
【００３２】
確認メッセージが表示されると、入力者は、所定の入力画像を入力していると認識している場合は確認メッセージとともにタッチパネル１２に表示された「はい」を選択する。「はい」が入力された場合、入力者は所定の入力画像を書いたつもりであるのに、書けていないとみなし（入力者に何らかの変化があったとみなし）、制御部１３は、送受信部１１を用いて、入力画像をそのままサーバ２に送信する（Ｓ１８）。一方、入力者は、所定の入力画像と異なる入力画像を入力したと認識した場合は、タッチパネル１２に表示された「再入力する」を選択する。これによりＳ１４に戻り、以降の処理を繰り返す。
【００３３】
Ｓ１５で入力画像が所定の入力画像であると判別された場合、および、Ｓ１７で「はい」が選択された場合、制御部１３は、入力者のユーザＩＤと、入力日時（例えば、入力終了日時など）と、入力画像と、入力開始までの時間と、入力に要した時間と、Ｓ１５の入力画像のチェックにより再入力した回数等の各種の情報を、送受信部１１を用いてサーバ２に送信する（Ｓ１８）。なお、本実施形態では、これらの情報をメールの添付情報としてサーバに送信することとするが、メール送信に限定されるものではなく、例えばＩＰ通信プロトコル等を利用した送信としてもよい。
【００３４】
サーバ２の画像解析部２２は、送受信部２１が受信したメールに添付された入力画像および各種情報を記憶部２４の入力画像情報テーブルに格納するとともに、入力画像を画像解析し、入力画像の位置、線の太さ、画像の大きさ等を計算し、入力画像情報テーブルに格納する（Ｓ１９）。
【００３５】
図３は、入力画像情報テーブルの一例を示す図である。入力画像情報テーブルには、各入力者（ユーザ）毎に、入力画像および入力画像に関する情報が蓄積される。画像解析部２２は、入力端末１から送信されたユーザＩＤと、入力日時と、入力画像と、入力開始までの時間と、入力に要した時間と、再入力回数とを入力画像情報テーブルに設定する。そして、画像解析部２２は、入力画像を画像解析し、入力画像の位置（例えば、入力画像の中心座標）、線の太さ（筆圧、濃淡）、入力画像の大きさ（面積）などを取得し、入力画像情報テーブルに記憶する。
【００３６】
そして、画像解析部２２は、Ｓ１９で入力画像情報テーブルに記憶した各種情報（入力画像、大きさ、入力開始までの時間、入力に要した時間、線の太さ、位置）と、標準値テーブルに記憶された当該ユーザＩＤに対応する各標準値とを比較し、比較結果（標準値とのずれ）を入力画像情報テーブルに記憶する（Ｓ２０）。このように標準値との比較結果を入力画像情報テーブルに記憶することにより、日々移り変わる入力者の些細な変化や、長期間にわたる緩やかな変化を把握することができる。
【００３７】
図４は、標準値テーブルの一例を示す図である。図示する標準値テーブルには、ユーザＩＤ（入力者）毎に、入力画像の標準形状、扁平率（いびつ度合い）、画像の大きさの標準値、入力開始までの時間の標準値と、入力に要した時間の標準値と、線の太さの標準値と、画像の位置の標準値とが記憶されている。
【００３８】
画像解析部２２は、入力者毎に入力画像情報テーブルに記憶された所定の期間を指定して、各標準値を算出し、標準値テーブルに記憶する。所定の期間は、特定の日としてもよいし、入力開始日から一定期間としてもよい。また、所定の期間は、入力者または確認者により指定された期間としてもよい。標準値の計算は、定期的に自動で行ってもよいし、指定したタイミングで実施してもよい。標準値は平均としてもよいし、標準偏差を求め分布率から決定してもよい。また、あらかじめ、初期値として、各標準値を標準値テーブル設定してもよい。
【００３９】
画像解析部２２は、標準値テーブルから入力画像の標準形状を読み出し、Ｓ１９で入力画像情報テーブルに設定した入力画像と比較し、扁平率（いびつ度合い）を測定する。そして測定した扁平率と、標準値テーブルに設定した扁平率の標準とを比較し、比較結果（標準値とのずれ）を入力画像情報テーブルに記憶する。また、画像解析部２２は、標準形状以外の他の各標準値を読み出し、Ｓ１９で入力画像情報テーブルに設定した対応する各情報とそれぞれ比較し、比較結果（標準値とのずれ）を入力画像情報テーブルに記憶する。このように、画像解析部２２は、入力画像に関する情報を数値化して、入力画像情報テーブルの比較結果に記憶する。
【００４０】
なお、標準値テーブルに扁平率を備えることなく、標準値テーブルの標準形状の入力画像と、入力画像情報テーブルに設定した入力画像を直接比較し、いびつ度合い（変形度合い）を算出するようにしてもよい。
【００４１】
また、比較の対象は、標準値テーブルに限らず、所定の条件（前日や数日前、１週間前等）の入力画像情報テーブルに記憶された情報と比較し、比較結果として入力画像情報テーブルに記憶することとしてもよい。
【００４２】
そして、画像解析部２２は、当該入力者のユーザＩＤに対応する確認端末３のアドレス（確認者のメールアドレス等）を記憶部２４から読み出し、Ｓ１９で入力画像情報テーブルに記憶した入力画像を確認端末３に送信する（Ｓ２１）。なお、本実施形態では、入力画像をメールの添付情報として確認端末３に送信することとするが、メール送信に限定されるものではなく、例えばＩＰ通信プロトコル等を利用した送信としてもよい。
【００４３】
確認端末３の送受信部３１が、入力画像が添付されたメールを受信すると着信ポップアップ画面がタッチパネル３２に表示され（Ｓ２２）、確認者はタッチパネル３２に触れることになどによりメーラーが立ち上がり、添付された入力画像がタッチパネル３２に表示される（Ｓ２３）。確認者は、入力者が手書きで入力した入力画面を見ることで、入力者の状態を推測することができる。例えば、入力画像が小さく、線が細い（筆圧が弱い）場合は、入力者の体調が悪い、または気分が優れないのではないかと推測し、入力者に電話で問い合わせるなどの行動をとることができる。
【００４４】
また、サーバ２の画像解析部２２は、Ｓ２０の処理が完了し、入力画像情報テーブルへの登録が完了すると、送受信部２１を用いて登録完了通知を入力端末１に送信する（Ｓ２４）。入力端末１の制御部１３は、サーバ２から登録完了通知を受信すると、「今日の登録が完了したのでスタンプを押します」等の音声メッセージを出力し、入力者がタッチパネル１２に表示されたＯＫボタンの押下を受け付けると（Ｓ２５）、サーバ２は、本日が入力完了であることを図示しない記憶部に記憶するとともに、カレンダーをタッチパネル１２に表示し、カレンダーの当該日付に入力が実施されたことがわかる記号（例えば、「済」のスタンプ等）を表示する。このように、カレンダーに入力実施済みの記号を表示することで、入力者に入力を継続させる意欲を促す。
【００４５】
また、カレンダーに入力実施済みの記号を表示する替わりに、サーバ２は、１ヶ月に１度、所定の画像（例えば、風景、人物など）を入力端末１に配信しておき、入力が完了した日付の部分は、カレンダーによる目隠しがはずれ、入力が実施されないとその部分の画像が見えないようにしてもよい。
【００４６】
図５は、入力を実施すると、当該日付の位置にある画像部分が表示されるカレンダーの一例を示した図である。月初めの初期状態では、図５（ａ）に示すように、カレンダーが表示されている。図５（ｂ）は、１日目と、４日目と、１２日目に入力を実施した状態を示したものであって、これらの日付の部分に位置する画像が表示されている。そして、図５（ｃ）は、図５（ｂ）に示す状態からさらに１５日目以降の全ての日付において入力を実施した状態を示したものであって、これらの日付の部分に位置する画像が表示されている。このように、入力を実施すると本日の部分の画像が表示されることにより、入力者はカレンダーの下に隠れている画像が何であるかを知るために入力を継続する意欲がわく。また、入力者に入力継続の意欲を促すために、毎日入力することでポイントが貯まり、インセンティブが得られるしくみにする、または、入力端末１は入力が実施されるまで、定期的に入力を促す音声を出力することとしてもよい。
【００４７】
図６は、確認端末３の確認者が、サーバ２に蓄積された入力画像を確認するシーケンス図である。
【００４８】
確認端末３の制御部３３は、確認者の指示を受け付けて、サーバ２にアクセスし、確認者が入力した入力者のユーザＩＤ、パスワードなどの認証情報をサーバ２に送信する（Ｓ３１、Ｓ３２）。サーバ２の画像生成部２３は、認証情報を受信すると、認証処理を行い、認証に成功すると当該認証情報に対応するメニュー画面（例えば、Ｗｅｂページ）を確認端末３に送信する（Ｓ３３）。確認端末３の制御部３３は、送受信部３１が受信したメニュー画面をタッチパネル３２に表示する。確認者は、メニュー画面に設定されたいずれかの表示方法と、表示したい期間（例えば、直近の１週間、１ヶ月、１年など）とを指定し、過去の入力画像の表示要求を行う。確認端末３の制御部３３は、確認者がタッチパネル３２から選択した表示方法および期間を送受信部３１を用いてサーバ２に送信する（Ｓ３４）。なお、メニュー画面の表示は、ｗｅｂページでもよいし、アプリケーション等で実現してもよい。
【００４９】
サーバ２の画像生成部２３は、確認端末３からの表示要求を受信すると、当該表示要求で指定された表示方法と期間とに基づいて確認端末３に提示する画像を生成し、確認端末３に送信する（Ｓ３５）。確認端末３の制御部３３は、送受信部３１が受信した画像をタッチパネル３２に表示する（Ｓ３６）。
【００５０】
本実施形態の表示方法としては、一覧表示、連続表示（パラパラ表示）、オーバーレイ表示、変化グラフがある。
【００５１】
図７は、入力画像の一覧表示の一例である。画像解析部２２は、記憶部２４の入力画像情報テーブルに記憶された指定期間の各入力画像を時系列に一覧で表示する一覧画像を生成する。なお、各入力画像には、比較しやすいように、画像中に座標軸を表示している。
【００５２】
図８は、入力画像の連続表示（パラパラ表示）を模式的に示す図である。画像生成部２３は、入力画像情報テーブルに記憶された指定期間の各入力画像を時系列に連続で表示する動画を生成する。連続表示は、入力画像を１ページとして、１ページごとに表示を切替えながら表示する。確認者は、パラパラと連続して入力画像が表示されることにより、滑らかな動画として、指定した期間に入力された複数の入力画像を見ることができる。また、各入力画像には、比較しやすいように、画像中に座標軸を表示するものとする。なお、１年間等の長期間の入力画像を表示する場合は、入力画像を間引きして短い時間で表示することとしてもよい。
【００５３】
図９は、入力画像のオーバーレイ表示の一例である。画像生成部２３は、入力画像情報テーブルに記憶された指定期間の各入力画像を重ねて表示し、過去の入力画像とのずれが容易にわかるように表示する。また、オーバーレイ表示画像には、比較しやすいように、座標軸を表示するものとする。なお、１年間等の長期間の入力画像を表示する場合は、入力画像を間引きして表示することとしてもよい。
【００５４】
図１０（ａ）は、変化グラフの一例である。画像生成部２３は、入力画像情報テーブルに時系列に記憶された指定期間の数値化された比較結果（標準値からのずれ）に基づいて、変化の度合いがわかるグラフを生成する。図示するグラフは、入力画像の大きさに関する変化グラフである。画像生成部２３は、大きさ以外の他の項目（扁平率、入力開始までの時間、入力に要した時間、入力画像の位置、線の太さ）についても同様の変化グラフを生成する。
【００５５】
また、画像生成部２３は、入力画像情報テーブルに時系列に記憶された指定期間の数値化された比較結果を積分して変化のポイント（時期）を検出し、図１０（ｂ）に示すように、連続表示（パラパラ表示）の際に、変化のポイントとなる入力画像の背景画像の色を変える、またはアラーム音を出力するなど変化した時期（日付など）がわかるように表示することとしてもよい。この場合、各入力画像には、入力した日付を表示するものとする。
【００５６】
なお、一覧表示、連続表示、オーバーレイ表示および変化グラフの生成は、確認端末３からの要求があったときに生成してもよいし、所定の日時（毎月１日、毎週月曜、等々）にあらかじめ生成し、記憶部２４に格納しておいてもよい。
【００５７】
次に、入力画像に変化があることをサーバ２が判定し、確認端末３にアラート（警告）を送信する処理について説明する。サーバ２は、図２のＳ２０の標準値との比較を行った後に、入力者の変化を判定するための閾値との比較を行い、所定の条件を満たす場合は、確認端末３にアラートを送信する。
【００５８】
図１１は、サーバ２がアラートを送信するシーケンス図である。画像解析部２２は、入力者からの日々の入力があった際に、比較結果を算出するとともに、図２のＳ１９で入力画像情報テーブルに記憶した各種情報と、閾値テーブルに記憶された当該ユーザＩＤに対応する閾値とを比較し、所定の条件を満たすか否かを判別する。
【００５９】
図１２は、閾値テーブルの一例を示す図である。図示する閾値テーブルには、ユーザＩＤ（入力者）毎に、送信先アドレスと、閾値として扁平率、大きさ、入力開始までの時間、入力に要した時間、線の太さおよび位置とが記憶されている。また、所定の条件としては、例えば、少なくとも１つの項目が閾値を超えた場合、全ての項目で閾値を超えた場合、少なくとも１つの項目で閾値を越えた日が所定の日数連続した場合、などが挙げられる。なお、図示する閾値テーブルには送信者アドレスが設定されているが、送信者アドレスは、閾値テーブル以外の他のテーブル（例えば、入力画像情報テーブル、標準値テーブル）に設定されていてもよい。
【００６０】
このように、入力画像情報テーブルに記憶した各種情報が、対応する閾値を越えるか否かを判定することで、例えば、入力画像の大きさが顕著に小さい、扁平率が顕著に大きい（入力画像がいびつである）、入力画像の位置が隅に寄っている、入力に要する時間が著しく長い等の入力操作に表れた、入力者の体調や気分などの変調を捉えることができる。
【００６１】
また、アラートの要否は、閾値テーブルに設定された閾値との比較だけでなく、入力画像情報テーブルに記憶した標準値との比較結果が、所定の条件を満たす場合、アラートを送信することとしてもよい。例えば、入力画像情報テーブルに長期間にわたって記憶した標準値との比較結果が一定の傾向を示す場合（例えば、徐々に入力画像の大きさが小さくなっているなど）、アラートを送信することとしてもよい。
【００６２】
所定の条件を満たす場合、画像解析部２２は、入力者に変化があったとみなし、入力画像情報テーブル（図３参照）のアラート要求にフラグを設定する。そして、画像解析部２２は、閾値テーブルから送信者アドレス（確認者のメールアドレス、確認端末３のアドレスなど）を読み出し、確認端末３にアラートを送信する（Ｓ４１）。なお、本実施形態では、メールでアラートを通知することとするが、メール送信に限定されるものではなく、例えばＩＰ通信プロトコル等を利用した送信としてもよい。
【００６３】
確認端末３では、メールを受信すると着信ポップアップ画面がディスプレイに表示され、確認者がポップアップ画面にタッチすることでサーバ２の当該入力者用のＷＥＢページにアクセスし（Ｓ４２）、サーバ２は、当該入力者用対応するメニュー画面を確認端末３に送信する（Ｓ４３）。確認者は、メニュー画面に表示されたいずれかの表示方法と、表示したい期間とを指定し、入力者による過去の入力画像の表示要求を行い、確認端末３は、確認者が選択した表示方法および期間をサーバ２に送信する（Ｓ４４）。サーバ２の画像生成部２３は、確認端末３からの表示要求を受信すると、当該表示要求で指定された表示方法と期間とに基づいて確認端末３に提示する画像を生成し、確認端末３に送信する（Ｓ４５）。確認端末３は、サーバ２からの送信された画像を受信し、表示部に表示する（Ｓ４６）。なお、Ｓ４３からＳ４６については、図６のＳ３３からＳ３６と同様であるため、ここでは詳細な説明は省略する。
【００６４】
以上説明した本実施形態では、入力しやすい所定（固定）の文字や記号等の入力画像を、入力者に手書きで毎日入力させ、サーバ２を介して確認端末３に送信する。これにより、確認者は、○△×などのボタンを選択するだけでは判断できなかった入力者の無意識の気分や状況を知ることができる。すなわち、日常生活において日々移り変わる入力者の体調や気分の些細な変化を把握することができる。
【００６５】
具体的には、手書きの入力画像（例えば○等）には、入力者が意識的に形や大きさを変えなかったとしても、無意識の気分や体調の変化が現れやすい。そのため、入力者の手書きの入力画像を日々比較することにより、入力者の状態の変化を把握することができる。
【００６６】
また、本実施形態では、日々入力される入力画像および各種情報を記憶部２４に蓄積するとともに、各標準値とを比較し、比較結果を記憶部２４に蓄積する。このように、長期間、情報を蓄積することで、入力者の日々の移り変わりを推測することができる。
【００６７】
また、本実施形態では、確認者の要求に応じて、過去の入力画像を所定の表示方法（一覧表示、連続表示、オーバーレイ表示、変化グラフ）で確認端末３に送信する。これにより、確認者は、入力者の過去の入力画像を効率良く見ることができ、入力者の状況の変化や兆候を感知することができる。
【００６８】
また、本実施形態では、記憶部２４に記憶される入力画像および各種情報が閾値を超え、所定の条件に合致する場合は、入力者の状況が著しく変化したとみなし、アラートを確認端末３に送信する。これにより、入力者の状況の変化や兆候を見逃すことなく確認者に通知することができる。
【００６９】
なお、本発明は上記実施形態に限定されるものではなく、その要旨の範囲内で数々の変形が可能である。例えば、図２の日々の入力画像の確認端末３への送付の際に、過去の入力された画像を見るためのリンク情報（URL等）や図１１のアラート通知を合わせて送付することとしてもよい。アラート通知がある場合には、アラートがない場合との違いが確認者に容易にわかるような送付方法をとるのが望ましい。
【００７０】
また、入力者が日々入力する所定の入力画像としてアナログ時計を用いることとしてもよい。以下に、入力画像にアナログ時計を用いた他の実施形態について説明する。
【００７１】
＜他の実施形態＞
本実施形態では、入力端末１を使用する入力者が入力する入力画像として、アナログ時計を用いる。なお、下記文献には、時計を描画させることによる認知症の検査（時計描画検査：Clock Drawing Test）について記載されている。
【００７２】
「リハビリ医療における認知機能スクリーニングについて - 時計描画検査（CDT）を中心に -」、認知リハビリテーションVol.15, No.1, 2010
図１３は、本実施形態の入力画像であるアナログ時計の一例を示すものである。図示するアナログ時計は、所定の時刻を示す円形形状の時計であって、時計の形状である円（外円）と、文字盤の数字と、針（長針および短針）とを備える。図示する例では、１０時１０分の時刻を示すアナログ時計の入力画像を示している。入力者は、毎日、所定の同じ時刻のアナログ時計を入力する。
【００７３】
本実施形態の状態管理システムの構成は、図１で説明した状態管理システムと同様であるため、ここでは説明を省略する。
【００７４】
以下に、本実施形態の処理について、前述した実施形態との差分について説明する。
【００７５】
図２に示す日常において日々行われる処理において、Ｓ１４で、入力者は、入力端末１のタッチパネル１２に表示された画面に、入力画像として所定の時刻を示すアナログ時計（図１３参照）を、指またはペンなどを用いて手書きで入力する。これにより、前述したＳ１５からＳ１８の処理が行われ、入力画像と、各種情報とがサーバ２に送信される。
【００７６】
Ｓ１９で、サーバ２の画像解析部２２（時計解析手段）は、受信した入力画像および各種情報を記憶部２４の入力画像情報テーブルに格納するとともに、入力画像を画像解析し、解析結果を入力画像情報テーブルに格納する。ここでは、画像解析部２２は、手書きされたアナログ時計の解析として、（１）円の面積、（２）真円度、（３）時計の文字盤、（４）時計の針について解析することとする。入力画像の画像解析後、以降の処理（Ｓ２０〜Ｓ２３）を行う。以下に、画像解析処理について説明する。
【００７７】
（１）円の面積
画像解析部２２は、受信したアナログ時計の円（円形形状の内周）の面積を解析する。また、解析した円の面積の変化をグラフ化し、微細な変化のポイント（時期）を検知する。なお、認知症患者が描画する円は、一般的に小さくなる傾向にあるため、図１４に示すように日々、アナログ時計の一部として描画される円が小さくなっていくと、認知症の発症またはその症状が重くなっていることを示していると推測することができる。
【００７８】
図１５は、円の面積を算出する方法を説明するための説明図である。ここでは、円の面積を、当該円の円周とY軸に並行する直線との２点の交点の距離を用いて解析する。具体的には、入力画像が入力された画面の縦方向をY軸、横方法をX軸とし、Y軸に並行する複数の直線で円を輪切りにする。
【００７９】
すなわち、Y軸と並行な直線をX＝0からX軸方向に移動させ、X軸の各位置で複数の直線を設定し、各直線と交差する円周上の２つの交点（例えば、Y1,Y2）の座標間の距離Lを算出する。そして、それぞれ算出された距離Lを、円周上の点とY軸と並行な直線の交点（例えば、Y1,Y2）の間で積分することにより円の面積を算出する。例えば、以下の式を用いて、円の面積を算出する。
【数１】
2013168137.tif 000003
【００８０】
そして、画像解析部２２は、算出した円の面積を入力画像情報テーブルに格納する。このように、入力画像情報テーブルに格納された円の面積は、前述した実施形態の確認者がサーバ２蓄積された入力画像を確認する処理（図６参照）において、変化グラフとして表示することとしてもよい。
【００８１】
図１６は、円の面積を時系列に示した変化グラフの一例である。画像生成部２３は、入力画像情報テーブルに時系列に記憶された円の面積に基づいて、日々の変化の度合いがわかるグラフを生成する。また、画像生成部２３は、入力画像情報テーブルに時系列に記憶された円の面積を積分して変化のポイントを検出し、連続表示（パラパラ表示）の際に、変化のポイントとなる入力画像の背景画像の色を変える、またはアラーム音を出力するなど変化した時期（日付など）がわかるように表示することとしてもよい（図１０（ｂ）参照）。この場合、各入力画像には、入力した日付を表示するものとする。
【００８２】
また、前述した実施形態の入力画像に変化があることをサーバが判定し、確認端末３にアラートを送信する処理（図１１参照）において、画像解析部２２は、入力者からの日々の入力があった際に、図２のＳ１９で入力画像情報テーブルに記憶した円の面積と、閾値テーブルに記憶された当該ユーザＩＤに対応する円の面積の閾値、または、入力画像情報テーブルに記憶された円の面積の標準値と比較し、比較結果が所定の条件を満たす場合はアラートを確認端末３に送信する。
【００８３】
円の面積を算出することで円の大きさを数値化し、時系列に記憶された円の面積をグラフ化することで、入力者の状態を可視化することができるとともに、微細な変化のポイントを逃すことなく捕らえることができる。
【００８４】
（２）真円度
画像解析部２２は、受信したアナログ時計の円（円形形状）の真円度を解析する。また、解析した真円度の変化をグラフ化し、微細な変化のポイントを検知する。なお、認知症患者が描画する円は、一般的に形が崩れる傾向にあるため、日々入力される円が崩れていくと、認知症の発症またはその症状が重くなっていることを示していると推定することができる。真円度は、幾何学的円からの狂いの大きさを示すものである。
【００８５】
図１７は、真円度を算出する方法を説明するための説明図である。ここでは、円の真円度を、円周上の所定の１点から、円周上の各点への距離を用いて解析する。
【００８６】
図１７（ａ）に示す円は、真円（幾何学的円）である。入力画像が入力された画面の縦方向をY軸、横方法をX軸とし、Y軸に並行する複数の直線で円を輪切りにする。具体的には、Y軸と並行な直線をX＝0からX軸方向に移動させ、X軸の各位置で複数の直線を設定し、最初にY軸と並行な直線が円周上の点と交差した点Aから最後に円周上の点と交差する点Bまで、下記の計算をする。
【００８７】
すなわち、最初に交差した点Aと、円の上半分の円周上のそれぞれの位置でY軸に並行する直線と交差する点Cの2点間の距離をそれぞれ計算し、グラフ化する。図示するように、2点間の距離は、最初に交差した点AからX軸方向に遠くなるほど大きくなる。真円の場合、上半分の円周上の2点間A、Cの距離を示すグラフは、1本のきれいな直線となる。
【００８８】
次に、図１７（ｂ）の楕円についても、図１７（ａ）と同様に、上半分の円周上について、最初に交差した点Aと、それぞれの位置でY軸に並行する直線と交差する点Cの2点間の距離をそれぞれ計算し、グラフ化する。楕円の場合、図示するように、1つの曲線として可視化される。なお、楕円だけでなく、真円以外の場合は、上半分の円周上の2点間A、Cの距離を示すグラフは、直線以外の曲線（または折れ線）として可視化される。
【００８９】
本実施形態では、この曲線（または折れ線）と真円の直線との差分を真円度の指標として用いるものとする。差分が大きいと、真円でない度合いが高いことを示す。ここでは、図１８に示すように、曲線E（図１７（ｂ））と真円の直線F（図１７（ａ））により形成される図形の面積を算出し、算出した面積を真円度の指標として用いる。なお、手書きで入力された円において、最も長い部分の直径（図１７（ｂ）の場合、A-B間）を算出し、算出した直径の真円の直線F（図１７（ａ））を用いるものとする。
【００９０】
図形の面積の算出については、（１）円の面積で記載した方法と同様の方法で算出する。ここでは、X軸と並行な直線をY＝0からY軸方向に移動させ、Y軸の各位置で複数の直線を設定し、各直線と交差する曲線E上と直線F上の２つの交点の座標間の距離を算出する。そして、それぞれ算出された距離を、円周上の点とX軸と並行な直線の交点の間で積分することにより図形の面積を算出する。
【００９１】
そして、画像解析部２２は、算出した真円度を入力画像情報テーブルに格納する。このように、入力画像情報テーブルに格納された真円度は、前述した実施形態の確認者がサーバ２蓄積された入力画像を確認する処理（図６参照）において、変化グラフとして表示することとしてもよい。
【００９２】
図１９は、真円度を時系列に示した変化グラフの一例である。画像生成部２３は、入力画像情報テーブルに時系列に記憶された真円度に基づいて、日々の変化の度合いがわかるグラフを生成する。また、画像生成部２３は、入力画像情報テーブルに時系列に記憶された真円度を積分して変化のポイントを検出し、連続表示（パラパラ表示）の際に、変化のポイントとなる入力画像の背景画像の色を変える、またはアラーム音を出力するなど変化した時期（日付など）がわかるように表示することとしてもよい（図１０（ｂ）参照）。この場合、各入力画像には、入力した日付を表示するものとする。
【００９３】
また、前述した実施形態の入力画像に変化があることをサーバが判定し、確認端末３にアラートを送信する処理（図１１参照）において、画像解析部２２は、入力者からの日々の入力があった際に、図２のＳ１９で入力画像情報テーブルに記憶した真円度と、閾値テーブルに記憶された当該ユーザＩＤに対応する真円度の閾値、または、入力画像情報テーブルに記憶された真円度の標準値と比較し、比較結果が所定の条件を満たす場合はアラートを確認端末３に送信する。
【００９４】
真円度を算出することで円の歪みを数値化し、時系列に記憶された真円度をグラフ化することで、入力者の状態を可視化することができるとともに、微細な変化のポイントを逃すことなく捕らえることができる。
【００９５】
（３）時計の文字盤
画像解析部２２は、受信したアナログ時計の円内に記載した文字盤（数字）の配置を解析する。なお、認知症患者が描画する文字盤の数字は、一般的に数字の数が一定しない、また、数字の配置がずれる傾向にあるため、日々入力され数字の数や配置がずれていくと、認知症の発症またはその症状が重くなっていることを示していると推定することができる。
【００９６】
図２０は、文字盤の数字を解析する方法を説明するための説明図である。ここでは、数字の配置を、Y軸に並行する直線との交点の数を用いて解析する。具体的には、入力画像が入力された画面の縦方向をY軸、横方法をX軸とし、Y軸に並行する複数の直線で円を輪切りにする。
【００９７】
すなわち、Y軸と並行な直線をX＝0からX軸方向に移動させ、X軸の各位置で複数の直線を設定し、各直線と交差する円周上の交点および文字盤の数字の交点の数を、各直線毎にカウントし、グラフ化する。なお、各直線上には利用者が手書きしたものと交差する点と、利用者が手書きしたものと交差しない点とが存在する。ここでは、交差する点の数を算出し、グラフ化する。
【００９８】
図２０（ａ）に示す文字盤は、正常な文字盤の数字を示す例である。例えば、図示する直線Aにおける交点の数は、６点であることを示している。
【００９９】
図２０（ｂ）は、文字盤の数字が不足している例（ここでは、右半分しか数字が記載されていない例）であって、この場合、直線との交点の数をグラフにすると、文字盤の左半分に相当するグラフの部分は、交点の数が少なくなっている。
【０１００】
入力者が、毎日同じような文字盤を描画した場合、グラフの形状は同様な形状になるが、違う数字、または、数字を書く位置がずれる場合、グラフの形状が異なる。画像解析部２２は、このような交点の数のグラフを入力画像情報テーブルに格納する。文字盤の数字をグラフ化することで、入力者の状態を可視化することができるとともに、微細な変化のポイントを逃すことなく捕らえることができる。
【０１０１】
このように、入力画像情報テーブルに格納されたグラフは、前述した実施形態の確認者がサーバ２蓄積された入力画像を確認する処理（図６参照）において、一覧表示、連続表示（パラパラ表示）、オーバーレイ表示することとしてもよい。また、グラフの平均値または標準偏差をさらに変化グラフとして表示することとしてもよい。また、平均値または標準偏差を積分して変化のポイントを検出し、連続表示（パラパラ表示）の際に、変化のポイントとなる入力画像の背景画像の色を変える、またはアラーム音を出力するなど変化した時期（日付など）がわかるように表示することとしてもよい（図１０（ｂ）参照）。この場合、各入力画像には、入力した日付を表示するものとする。
【０１０２】
また、前述した実施形態の入力画像に変化があることをサーバが判定し、確認端末３にアラートを送信する処理（図１１参照）において、画像解析部２２は、入力者からの日々の入力があった際に、図２のＳ１９で入力画像情報テーブルに記憶したグラフの平均値または標準偏差と、閾値テーブルに記憶された当該ユーザＩＤに対応する平均値または標準偏差の閾値、または、入力画像情報テーブルに記憶された平均値または標準偏差の標準値と比較し、比較結果が所定の条件を満たす場合はアラートを確認端末３に送信する。
【０１０３】
（４）時計の針
画像解析部２２は、受信したアナログ時計の針を解析する。なお、認知症患者は、一般的に長針と短針の区別ができなくなる、または、角度がわからなくなる傾向にあるため、日々入力される針が所定の時刻を示していないと、認知症の発症またはその症状が重くなっていることを示していると推定することができる。
【０１０４】
図２１は、針を解析する方法を説明するための説明図である。ここでは、アナログ時計の針を、針の起点から放射状に設定された直線との交点の長さまたは数を用いて解析する。具体的には、針の起点（短針と長針とが交差する点）から時計の外周へ向かって放射状の直線で時計を輪切りにし、この直線と入力者が描画した針との交点の長さ（または交点の数）をグラフ化する。グラフの縦軸は、交点の長さで、グラフの横軸は、針の起点から真上に伸びた直線Aと、各直線との角度（時計回り方向の角度）を示すものである。例えば、６時００分の時刻を示す場合、短針の棒グラフは、１８０度付近に存在し、長針の棒グラフは０度付近に存在することになる。
【０１０５】
図２１（ａ）の指定された時刻（１０時１０分）を示す正常な針を記載した場合に、各直線と手書きされた針との交点の長さは、Y軸に並行でかつ長さが違う2本の棒グラフが生成される。棒グラフの太さ（線幅）は、手書きされた針の太さに依存する。
【０１０６】
図２１（ｂ）に示すように、長さが同じ針を記載した場合には、同じ長さの棒グラフが2本生成される。また、図２１（ｃ）に示すように、指定された時刻と異なる時刻の針を記載した場合には、間違った時刻の長針および短針の角度のそれぞれの位置に、2本の棒グラフが生成される。
【０１０７】
このように、各直線と手書きされた針との交点の長さを棒グラフにすると、2つの棒グラフの間の距離は、長針と短針の開きの角度を示し、2つの棒グラフの長さの差は長針と短針を示す。また、棒グラフのX軸上の位置は針の角度を示すため、入力者が意図した時刻を表すことができる。
【０１０８】
そして、画像解析部２２は、生成した2つの棒グラフの長さの差分、および、2つの棒グラフの間の距離を入力画像情報テーブルに格納する。このように入力画像情報テーブルに格納された棒グラフの長さの差分および棒グラフの間の距離は、前述した実施形態の確認者がサーバ２に蓄積された入力画像を確認する処理（図６参照）において、変化グラフとして表示することとしてもよい。
【０１０９】
図２２（ａ）は、棒グラフの長さの差分を時系列に示した変化グラフの一例である。画像生成部２３は、入力画像情報テーブルに時系列に記憶された棒グラフの長さの差分に基づいて、日々の変化の度合いがわかるグラフを生成する。また、画像生成部２３は、入力画像情報テーブルに時系列に記憶された棒グラフの長さの差分を積分して変化のポイントを検出し、連続表示（パラパラ表示）の際に、変化のポイントとなる入力画像の背景画像の色を変える、またはアラーム音を出力するなど変化した時期（日付など）がわかるように表示することとしてもよい（図１０（ｂ）参照）。この場合、各入力画像には、入力した日付を表示するものとする。
【０１１０】
棒グラフの長さの差分を算出することで、描画された針を数値化し、時系列に記憶された数値化された解析結果に基づいてグラフ化することで、入力者が時計の長針と短針を正しく認識できているかを可視化することができるとともに、微細な変化のポイントを逃すことなく捕らえることができる。
【０１１１】
図２２（ｂ）は、棒グラフの間の距離を時系列に示した変化グラフの一例である。画像生成部２３は、図２２（ａ）と同様に、入力画像情報テーブルに時系列に記憶された棒グラフの間の距離に基づいて、日々の変化の度合いがわかるグラフを生成する。また、画像生成部２３は、入力画像情報テーブルに時系列に記憶された棒グラフの間の距離を積分して変化のポイントを検出し、連続表示（パラパラ表示）の際に、変化のポイントとなる入力画像の背景画像の色を変える、またはアラーム音を出力するなど変化した時期（日付など）がわかるように表示することとしてもよい（図１０（ｂ）参照）。この場合、各入力画像には、入力した日付を表示するものとする。
【０１１２】
棒グラフの間の距離を算出することで、描画された針を数値化し、時系列に記憶された数値化された解析結果に基づいてグラフ化することで、入力者が正しい時刻を認識できているかを可視化することができるとともに、微細な変化のポイントを逃すことなく捕らえることができる。
【０１１３】
なお、本実施形態では、入力画像として、アナログ時計の円、数字および針を入力させることとしたが、これ以外に、円（○）があらかじめ表示された入力画面を入力者に提示し、入力画像として、その中にアナログ時計の文字盤の数字のみを入力してもらうこととしてもよい。または、円（○）とその中に文字盤の数字があらかじめ表示された入力画面を入力者に提示し、入力画像として、その中に所定の時刻を示す針（長針および短針）のみを入力してもらうこととしてもよい。
【０１１４】
円または円および文字盤があらかじめ表示された入力画面に、数字または針を入力してもらう場合、位置が固定された円の中に手書きするため、サーバ２に蓄積された入力画像をオーバーレイ表示すると、異常な点を容易に検出することができる。また、手書きされた部分の座標を読み取ることで、位置関係の正しさ、正しい文字盤の数字とのずれを検出することができる。また、ＯＣＲのように各位置に配置された数字の正しさを判別することができる。また、入力画像と正解のアナログ時計とをオーバーレイすることで、異常値を検知し、また、正しい数字とのずれを把握することができる。
【０１１５】
以上説明した本実施形態では、アナログ時計の入力画像を、入力者に手書きで毎日入力させ、サーバ２を介して確認端末３に送信する。これにより、確認者は、○△×などのボタンを選択するだけでは判断できなかった入力者の無意識の気分や状況および認知症度を知ることができる。すなわち、日常生活において日々移り変わる入力者の体調や気分の些細な変化だけでなく、認知症の兆しや認知証の症状の悪化を検知することができる。
【０１１６】
また、本実施形態では、日々入力されるアナログ時計の入力画像および各種情報を記憶部２４に蓄積するとともに、円の面積、真円度、文字盤の数字および針を解析し、解析結果を記憶部２４に蓄積する。このように、長期間、情報を蓄積することで、入力者の日々の認知症度を推測することができる。また、入力画像、解析結果などを記憶部２４に蓄積しておくことで、認知症の症状の波も把握することができるため、いつ認知症の症状であったかの記録を残すことができる。例えば、認知症高齢者の虐待や、成年後見の問題などが発生した場合に、後に当時の入力者の状況を検証することができる。
【０１１７】
また、本実施形態では、確認者の要求に応じて、過去の入力画像を所定の表示方法（一覧表示、連続表示、オーバーレイ表示、変化グラフ）で確認端末３に送信する。これにより、確認者は、入力者の過去の入力画像を効率良く見ることができ、入力者の認知症の症状の変化や兆候を感知することができる。
【０１１８】
また、サーバ２が、多数の入力者の入力画像および解析結果を蓄積することで、これらのデータを用いて、認知症度の判定に役立てることができる。すなわち、どのようなアナログ時計が描画されたら、認知症の兆しがあるなどの判定データベースの作成することができる。また、他の入力者との比較するデータベースを充実させることができ、これにより、対象の入力者が描画した入力画像と、その他大勢の入力者が描画したものと、どのように違うかを比較し認知症発症の可能性を検知することができる。また、対象の入力者が描画した入力画像を、複数の健常者が描画した画像と比較するとともに、複数の初期認知症患者が描画した入力画像と比較し、どちらにどれくらい近いかをスコアにして認知症度を測ることができる。
【０１１９】
認知症患者は、日によって認識できる日と、認識できない日との差があり、たまたま正解の入力画像を描ける日が続くと認知症の発見が遅れる可能性があるため、入力者の変化の確認と、描けなかった入力画像の異常度を測るため、その他大勢の入力者が描画した入力画像と比較することにより、認知症の度合いを可視化し、双方から確認することで、より精緻に認知症発症の時期を捉えることができる。
【０１２０】
また、本実施形態では、記憶部２４に記憶される入力画像などが閾値を超え、所定の条件に合致する場合は、入力者の状況が著しく変化したとみなし、アラートを確認端末３に送信する。これにより、入力者の状況の変化や兆候を見逃すことなく確認者に通知することができる。このとき、脳トレなどを入力者にお勧めし、サーバ２から自動的に問題を入力者端末１に送付することとしてもよい。
【０１２１】
なお、本実施形態の（１）円の面積および（２）真円度の処理は、第１の実施形態において入力画像に「○」を用いた場合にも適用することができる。
【符号の説明】
【０１２２】
１  ：入力端末
１１：送受信部
１２：タッチパネル
１３：制御部
２  ：サーバ
２１：送受信部
２２：画像解析部
２３：画像生成部
２４：記憶部
３  ：確認端末
３１：送受信部
３２：タッチパネル
３３：制御部
【図１】
2013168137.tif 000004
【図２】
2013168137.tif 000005
【図３】
2013168137.tif 000006
【図４】
2013168137.tif 000007
【図５】
2013168137.tif 000008
【図６】
2013168137.tif 000009
【図７】
2013168137.tif 000010
【図８】
2013168137.tif 000011
【図９】
2013168137.tif 000012
【図１０】
2013168137.tif 000013
【図１１】
2013168137.tif 000014
【図１２】
2013168137.tif 000015
【図１３】
2013168137.tif 000016
【図１４】
2013168137.tif 000017
【図１５】
2013168137.tif 000018
【図１６】
2013168137.tif 000019
【図１７】
2013168137.tif 000020
【図１８】
2013168137.tif 000021
【図１９】
2013168137.tif 000022
【図２０】
2013168137.tif 000023
【図２１】
2013168137.tif 000024
【図２２】
2013168137.tif 000025